(57)【要約】【課題】  シート束に表紙用シートを貼り付けて製本された製本シート束を裁断処理する際の位置精度を向上させることのできるシート処理装置及びこれを備えた画像形成装置を提供する。【解決手段】  シート束Ｐ１の一端面に表紙用シートＰ２を貼り付けて製本する際、表紙用シートＰ２をシート束Ｐ１の一端面に貼り付ける位置に搬送した後、表紙用シートＰ２をシート束Ｐ１の一端面に、表紙用シートＰ２の一端がシート束Ｐ１の所定の一端と一致するように、或はシート束Ｐ１の所定の一端が表紙用シートＰ２の一端からはみ出すように貼り付けるようにする。そして、このシート束Ｐ１の所定の一端を、貼り付けされたシート束Ｐ１及び表紙用シートＰ２を裁断する際の整合基準とする。【選択図】      図１６
2005254623.tif 000002
【特許請求の範囲】
【請求項１】
画像が形成されたシートから成るシート束の一端面に、表紙用シートを貼り付けして製本した後、前記シート束及び表紙用シートの側端部を裁断手段により裁断するシート処理装置において、
前記表紙用シートを前記シート束の一端面に貼り付ける位置に搬送した後、前記表紙用シートを前記シート束の一端面に、該表紙用シートの一端が前記シート束の所定の一端と一致するように、或は前記シート束の所定の一端が該表紙用シートの一端からはみ出すように貼り付け、前記シート束の所定の一端を裁断の際の該シート束の整合基準とすることを特徴とするシート処理装置。
【請求項２】
前記表紙用シートを前記シート束の一端面に貼り付ける位置に搬送する表紙用シート搬送経路に設けられ、前記表紙用シートを前記シート束の一端面に貼り付けた際、該表紙用シートの一端が前記シート束の一端と一致するような位置、或は前記シート束の一端面が該表紙用シートの一端からはみ出すような位置に該表紙用シートを移動させる移動手段を備えたことを特徴とする請求項１記載のシート処理装置。
【請求項３】
前記移動手段は、前記表紙用シートを貼り付け位置に搬送すると共に、前記表紙用シートを挟持した状態で搬送方向と直交する幅方向に移動可能な搬送手段により構成されることを特徴とする請求項２記載のシート処理装置。
【請求項４】
前記移動手段は、前記表紙用シートの搬送方向と直交する幅方向に移動し、前記表紙用シートの幅方向の端部と当接して該表紙用シートの幅方向の位置を規制する整合手段により構成されることを特徴とする請求項２記載のシート処理装置。
【請求項５】
前記表紙用シートを搬送する搬送手段と、
前記表紙用シートを貼り付ける貼り付け位置よりも搬送方向下流側に設けられて前記搬送手段により搬送された表紙用シートと突き当たると共に、突き当たった後は、搬送方向上流側に移動して該表紙用シートを貼り付け位置に移動させる突き当て板と、
を備え、
前記整合手段は、前記搬送手段の搬送力に抗して前記突き当て板が前記表紙用シートを貼り付け位置に移動させた状態で該表紙用シートの移動を行なうことを特徴とする請求項４記載のシート処理装置。
【請求項６】
前記突き当て板は、ホームポジションを検知する検知手段を有することによって位置制御可能であることを特徴とする請求項５記載のシート処理装置。
【請求項７】
前記表紙用シートが貼り付けられたシート束を前記裁断手段に搬送するシート束搬送手段と、前記シート束搬送手段のホームポジションを検知する検知手段とを有し、前記検知手段により前記シート束搬送手段の搬送距離が制御可能であることを特徴とする請求項６記載のシート処理装置。
【請求項８】
前記裁断手段の近傍には、前記表紙用シートが貼り付けられたシート束を整合するための整合手段が設けられていることを特徴とする請求項１乃至７の何れか１項に記載のシート処理装置。
【請求項９】
シートに画像を形成する画像形成部と、前記画像形成部により画像が形成されたシートから成るシート束に表紙用シートを貼り付けた後、前記シート束及び表紙用シートの側端部を裁断手段により裁断して製本する請求項１乃至８の何れか１項に記載のシート処理装置とを備えたことを特徴とする画像形成装置。
【発明の詳細な説明】
【技術分野】
【０００１】
本発明は、シート処理装置及びこれを備えた画像形成装置に関し、特に画像形成部により画像が形成された後、表紙用シートが貼り付けられて製本されたシート束の側面を整えるためシート束及び表紙用シートの側端部を裁断する裁断手段を具備したシート処理装置を備えたものに関する。
【背景技術】
【０００２】
従来、複写機、プリンタ、ファクシミリ等の画像形成装置は、画像形成された後のシートに対する処理に要する手間を軽減するために、複数枚のシートから成るシート束を綴じる綴じ処理、片辺に糊付する糊付処理、シートの端部をカットする裁断処理等の処理を選択的に施すための所謂フィニッシャ等のシート処理装置が取付けられるように構成されたものがある。
【０００３】
そして、このようなシート処理装置としては、画像形成部により画像が形成されたシートの束と、表紙とを糊付けして製本するようにしたものがある（例えば、特許文献１参照。）。さらに、このように製本した後、裁断手段により、製本されたシート束及び表紙の側面を裁断することによりシート束の側端部を整えるようにしたものがある
【０００４】
【特許文献１】特開２００２−２３４６３６号公報
【発明の開示】
【発明が解決しようとする課題】
【０００５】
ところで、このような従来のシート処理装置において、シート束と表紙とを糊付けする際、シート束を表紙の中央部に合わせて貼り付けるようにしているが、このときシート束の幅（サイズ）よりも表紙の幅（サイズ）の方が広い場合には、シート束よりも表紙がはみ出した状態で糊付け（貼り付け）される。
【０００６】
そして、このように糊付けされたシート束は、糊付けシート束を回転させる回転手段に載置された後、搬送手段により裁断手段に搬送され、製本シート束である糊付けシート束の糊付け部以外の３面が順次裁断処理される。
【０００７】
ここで、シート束は裁断手段に搬送される前、図２２の（ａ）に示すように整合板Ｆ３１５Ａにより糊付けシート束Ｐ３の側端を整合する際、表紙用シートＰ２の端部がシート束Ｐ１より外側に出ているため、整合時、整合板Ｒ３１６Ａ，Ｆ３１５Ａと当接するのは表紙用シートＰ２のはみ出し部分ということになる。
【０００８】
また、図２２（ｂ）に示すように糊付けシート束Ｐ３の、表紙用シートＰ２の背表紙部分Ｐ２１と直交する側面を裁断する際、糊付けシート束Ｐ３を裁断手段に搬送する突き当て部材３１８Ａに当接するのも、また表紙用シートＰ２のはみ出し部分ということになる。
【０００９】
また同様に、シート束の幅（サイズ）よりも表紙の幅（サイズ）の方が狭い場合または等しい場合であっても、搬送されてくる表紙用シートＰ２の幅方向のセット位置によっては表紙用シートＰ２の端部がシート束Ｐ１の整合される基準側（整合版Ｒ３１６Ａ側）の側端よりもはみ出てしまう場合があった。
【００１０】
そして、このように裁断前に行う糊付けシート束Ｐ３の整合時、或は糊付けシート束Ｐ３を裁断手段に搬送する際、整合板Ｒ３１６Ａ，Ｆ３１５Ａ及び突き当て部材３１８Ａに表紙用シートＰ２のはみ出し部分が当接すると、表紙端部が座屈したり、糊付け後の糊付けシート束Ｐ３の表表紙と裏表紙の位置がずれたする場合がある。また、糊付け後の糊付けシート束Ｐ３において、シート束Ｐ１と表紙用シートＰ２とが十分に平行となっていない場合には、裁断処理の位置精度が大きく狂うことがあった。
【００１１】
そこで、本発明は、このような現状に鑑みてなされたものであり、シート束に表紙用シートを貼り付けて製本された製本シート束を裁断処理する際の位置精度を向上させることのできるシート処理装置及びこれを備えた画像形成装置を提供することを目的とするものである。
【課題を解決するための手段】
【００１２】
本発明は、画像が形成されたシートから成るシート束の一端面に、表紙用シートを貼り付けして製本した後、前記シート束及び表紙用シートの側端部を裁断手段により裁断するシート処理装置において、前記表紙用シートを前記シート束の一端面に貼り付ける位置に搬送した後、前記表紙用シートを前記シート束の一端面に、該表紙用シートの一端が前記シート束の所定の一端と一致するように、或は前記シート束の所定の一端が該表紙用シートの一端からはみ出すように貼り付け、前記シート束の所定の一端を裁断の際の該シート束の整合基準とすることを特徴とするものである。
【００１３】
また本発明は、前記表紙用シートを前記シート束の一端面に貼り付ける位置に搬送する表紙用シート搬送経路に設けられ、前記表紙用シートを前記シート束の一端面に貼り付けた際、該表紙用シートの一端が前記シート束の一端と一致するような位置、或は前記シート束の一端面が該表紙用シートの一端からはみ出すような位置に該表紙用シートを移動させる移動手段を備えたことを特徴とするものである。
【００１４】
また本発明は、前記移動手段は、前記表紙用シートを貼り付け位置に搬送すると共に、前記表紙用シートを挟持した状態で搬送方向と直交する幅方向に移動可能な搬送手段により構成されることを特徴とするものである。
【００１５】
また本発明は、前記移動手段は、前記表紙用シートの搬送方向と直交する幅方向に移動し、前記表紙用シートの幅方向の端部と当接して該表紙用シートの幅方向の位置を規制する整合手段により構成されることを特徴とするものである。
【００１６】
また本発明は、前記表紙用シートを搬送する搬送手段と、前記表紙用シートを貼り付ける貼り付け位置よりも搬送方向下流側に設けられて前記搬送手段により搬送された表紙用シートと突き当たると共に、突き当たった後は、搬送方向上流側に移動して該表紙用シートを貼り付け位置に移動させる突き当て板と、を備え、前記整合手段は、前記搬送手段の搬送力に抗して前記突き当て板が前記表紙用シートを貼り付け位置に移動させた状態で該表紙用シートの移動を行なうことを特徴とするものである。
【００１７】
また本発明は、前記突き当て板は、ホームポジションを検知する検知手段を有することによって位置制御可能であることを特徴とするものである。
【００１８】
また本発明は、前記表紙用シートが貼り付けられたシート束を前記裁断手段に搬送するシート束搬送手段と、前記シート束搬送手段のホームポジションを検知する検知手段とを有し、前記検知手段により前記シート束搬送手段の搬送距離が制御可能であることを特徴とするものである。
【００１９】
また本発明は、前記裁断手段の近傍には、前記表紙用シートが貼り付けられたシート束を整合するための整合手段が設けられていることを特徴とするものである。
【００２０】
また本発明は、画像形成装置において、シートに画像を形成する画像形成部と、前記画像形成部により画像が形成されたシートから成るシート束に表紙用シートを貼り付けた後、前記シート束及び表紙用シートの側端部を裁断手段により裁断して製本する上記の何れかに記載のシート処理装置とを備えたことを特徴とするものである。
【発明の効果】
【００２１】
以上説明したように本発明のように、シート束の一端面に表紙用シートを貼り付けて製本する際、表紙用シートを、表紙用シートの一端がシート束の所定の一端と一致するように、或はシート束の所定の一端が表紙用シートの一端からはみ出すように貼り付け、このシート束の所定の一端を貼り付けされたシート束及び表紙用シートを裁断する際の整合基準とすることにより、製本シート束を裁断処理する際の位置精度を向上させることができる。
【００２２】
また本発明によれば、製本シート束の側端を裁断する際、突き当て板が、剛性の優れたシート束と表紙用シートとの貼り付け面、或は裁断面に当接するため座屈せず、仮に製本シート束の表表紙と裏表紙の位置がずれたり、シート束と表紙用シートの平行度が出ていない事があっても、裁断時の位置精度を向上させることが可能となる。
【発明を実施するための最良の形態】
【００２３】
以下、本発明を実施するための最良の形態について図面を用いて詳細に説明する。
【００２４】
図１は本発明の第１の実施の形態に係る画像形成装置の一例である複写機の概略構成を説明する図である。
【００２５】
同図において、Ａは複写機、Ａ１は複写機本体であり、この複写機本体Ａ１には複写機本体Ａ１に設けられた画像形成部３により画像が形成されたシートを整合し、糊付け製本した後、裁断する機能を有するシート処理装置Ｂが取り付けられている。
【００２６】
ここで、複写機本体Ａ１は本体上面に装着された原稿給送装置１から自動給送された原稿を光学手段２によって光学的に読み取り、その情報をデジタル信号として画像形成部３へ送信して普通紙やＯＨＰシート等のシートに記録するものである。
【００２７】
そして、この複写機本体Ａ１の下部には各種サイズのシートを収納した複数のシート収納部の一例であるシートカセット４が装着され、このシートカセット４から搬送ローラ５によって搬送されたシートに対して画像形成部３において電子写真方式によって画像を記録するようになっている。なお、８は手差しシートを給送すると共にシート収納部を構成するマルチトレイであり、Ａ２は画像形成部３の画像形成動作及び給紙動作等を制御する制御部である。
【００２８】
ここで、シートに画像を形成する場合は、まずスキャナ部２で読み取った情報に基づいて光照射部３ａからレーザー光を感光体ドラム３ｂに照射して潜像を形成し、次に潜像をトナーにより現像してシートに転写し、この後、トナー像が転写されたシートを定着部６へ搬送して熱及び圧力印加によってトナー像をシート上に永久定着するようにしている。
【００２９】
なお、複写機本体Ａ１において、片面記録モードが設定されている場合は、定着部６を通過したシートはシート処理装置Ｂへと送り込まれ、両面記録モードが設定されている場合は、片面に画像が形成されたシートは定着部６を通過した後、まずスイッチバックによって再送パス７へ搬送され、次に再度画像形成部３へ搬送されて裏面に画像が形成され、この後、シート処理装置Ｂへと送り込まれるようになっている。
【００３０】
ここで、シートを送り込む前に複写機本体Ａ１からシート処理装置Ｂへシートサイズ等の信号を送りシート処理装置Ｂ内のパスの切替等を事前に行う。また、シートの給送はシートカセット４からの給送のみならず、マルチトレイ８からも給送可能となっている。
【００３１】
シート処理装置Ｂは、図２に示すようにシートを整合する搬送整合ユニットＣ、裁断手段を構成する例えばトリマーユニットＤ等を備えており、通常の排出モードの他に、糊付製本、裁断モードの選択が可能となっている。なお、この裁断モードにおける裁断は糊付面以外の３方向が可能となっている。
【００３２】
そして、本実施の形態においては、複写機本体Ａ１からシート処理装置Ｂに排出されたシートＰは、通常モード時は搬送ローラ対１０ａ，１０ｂ，１０ｃ，１０ｄで搬送されてスタックトレイ１１に排出され、糊付製本モード時は、糊付製本された後、積載トレイＥに排出されるようになっている。
【００３３】
ところで、図２において、１５はノンソートパス、１６ａは製本パス、１２はノンソートパス１５と製本パス１６ａの切替を行う第１フラッパである。また、１４は製本中紙パス、１６は表紙パス、１３は製本中紙パス１４と表紙パス１６の切替を行う第２フラッパである。
【００３４】
また、３５は製本中紙パス１４に給送されたシートＰを整合する際、シートＰを立てた状態で順次収納する収納手段を構成する整合縦パスであり、例えばこの整合縦パス３５には、整合縦パス３５の底部に設けられた整合部材である図３に示す後端ストッパ２０と、整合縦パス３５の一方の面に設けられると共に整合縦パス３５に排出されたシートＰを後端ストッパ側に戻し、シートＰの後端を後端ストッパ２０に押し当てる押し当て手段である例えば戻しローラ１９と、シートＰをシートセンター方向へ押し込んでシート搬送方向と直交する方向である幅方向の整合を行う整合板２１と、排出されたシートＰを保持する保持手段として例えば整合縦パス板３６が設けられている。
【００３５】
ここで、この整合縦パス板３６は、整合縦パス３５の戻しローラ１９と対向する側に設けられ、整合縦パス３５に排出されたシートを立てた状態で保持すると共に、排出シートに対する戻しローラ１９の接触圧を略一定に保つためのものである。
【００３６】
そして、このような構成の整合縦パス３５を有したシート処理装置Ｂにおいて、糊付製本モードが選択された場合、複写機本体Ａ１から排出されたシートＰは、まず第１フラッパ１２、第２フラッパ１３の切換及び搬送ローラ対１０ａ，１７ａ，１７ｂによって製本中紙パス１４に給送され、さらに排出ローラ対１８によって整合縦パス３５に排出されるようになっている。
【００３７】
次に、このように整合縦パス３５に排出されたシートＰは、戻しローラ１９により、図３に示すように後端が後端ストッパ２０に当接する位置まで戻されてシート搬送方向の整合が行われると共に、整合板２１によってシートセンター方向に押し込まれて幅方向の整合が行われる。
【００３８】
なお、整合縦パス３５へシートＰを排出するときに、排出ローラ対１８の排出速度が高速であると、排出ローラ対１８を抜けたシートＰは飛び出すように排出され、引き戻すのに時間がかかってしまう。そこで、本実施の形態では、不図示の制御部は、シートＰの後端が排出ローラ対１８を通過する際に、排出ローラ対１８の回転速度が低速となるように制御するようにしている。
【００３９】
これにより、整合縦パス３５に排出されるシートＰは、戻しローラ１９の回転によって確実に引き込まれ、後端整合を短時間で行うことが可能となる。なお、制御部におけるシート後端が排出ローラ対１８を通過したか否かの判断は、シートＰが排出センサ２２を通過してからの時間、或いはモータ回転数を検出することによって行われる。
【００４０】
ところで、整合縦パス３５上に排出されたシートＰを排出方向とは逆方向に引き戻す戻しローラ１９は、図３に示すように圧接ソレノイド５３の作動により支点１９ａを中心に揺動するよう構成されたアーム１９Ａの一端部に回転自在に保持されると共に、その対向側には従動コロ１９ｂが配置されている。
【００４１】
そして、この戻しローラ１９は通常、図中実線で示す退避位置に待機し、排出ローラ対１８より排出されるシートＰの排出を妨げないようにしている。一方、整合縦パス３５上にシートＰが一枚排出されると、圧接ソレノイド５３が作動し、これにより破線で示す位置まで揺動して整合縦パス３５上のシートＰの後端近傍の一方の面に圧接し、この後、シート排出方向とは逆方向に回転することにより、シートＰを後端ストッパ２０の位置まで引き戻すようになっている。
【００４２】
なお、この戻しローラ１９は、排出ローラ対１８がシートＰの後端を放出した後、作動させるようにしている。具体的には、シートＰの後端が排出ローラ対１８の上流側に設けた排出センサ２２を通過してから一定時間経過後に、圧接ソレノイド５３を作動させて戻しローラ１９をシートＰに圧接させると共に、戻しローラ１９をシート排出方向とは逆方向に回転させるようにしている。
【００４３】
一方、このように戻しローラ１９がシート排出方向とは逆方向に回転する際、又はその前の所定の時期に、整合縦パス板３６は戻しローラ１９に近づく方向、言い換えれば整合縦パス３５が狭くなる方向に所定量移動するようになっている。また、この後、順次シートＰが整合縦パス３５に収納され、収納枚数が増えると、整合縦パス板３６は戻しローラ１９から離れる方向、言い換えれば整合縦パス３５が広くなる方向に移動する。
【００４４】
そして、このように整合縦パス３５に収納されるシートＰの枚数が少ない時には、整合縦パス板３６を整合縦パス３５の間隔が狭くなる方向に移動させることにより、シートＰの座屈の発生を防ぐことができると共に、整合縦パス３５に排出されたシートＰに対する戻しローラ１９の接触圧が略一定に保たれるようになり、戻し不良を防止することができる。
【００４５】
また、収納枚数が増えると、整合縦パス板３６を整合縦パス３５の間隔が広くなる方向に移動させることにより、シート束の厚みが増した場合でも、確実にシートＰを戻すことができ、戻し不良を防止することができる。
【００４６】
なお、この整合縦パス板３６は整合縦パス板３６の一部に形成されているラック３６ａと整合縦パスモータ２０７のギヤ部２０７ａとにより矢印方向に往復移動可能になっており、これにより戻しローラ１９との間隔（整合縦パス３５の間隔）を調整することができるようになっている。
【００４７】
ここで、本実施の形態では、シートＰの枚数情報に応じて図４に示すように整合縦パス板３６を移動させるようにしているが、複写機本体Ａ１からのシートＰの枚数情報、シートＰの厚さ情報又はシートＰのサイズ情報の少なくとも一つに応じて整合縦パス板３６を移動させるようにしてもよい。
【００４８】
そして、このように整合縦パス板３６を、シートの枚数情報、シートの厚さ情報又はシートのサイズ情報の少なくとも一つに応じて移動させることにより、シートＰの熱によるカール、あるいはシートＰ自体の自重等の影響による座屈が発生することがなく、またシート束Ｐ１の厚みの増長の影響を受けることなく、安定した戻し力を得ることができ、シートＰの整合性を向上させることができる。
【００４９】
ところで、この後、順次整合縦パス３５に搬送されたシートＰを戻しローラ１９により引き戻し、整合縦パス３５内に所定の目標枚数の束になるまで積載させていくが、１冊目の製本作成のために整合縦パス３５にシートＰを積載・整合し、その後、糊付等の作業を行う過程において、シートＰの束は整合縦パス３５に存在しつづけてしまう。
【００５０】
このため、複写機本体Ａ１から２冊目の製本作成のための後続シートＰを搬送させることができず、１冊目の糊付等の作業が終了し、整合縦パス３５からシート束Ｐ１が排出されるまで、シートＰの搬送をとめることとなってしまい、生産性の低下につながってしまう。
【００５１】
そこで、本実施の形態においては、１冊目のシート束が糊付等の作業を終了し、整合縦パス３５から排出されるまでの間に、複写機本体Ａ１から２冊目の製本作成のために搬入されてくる後続シートＰを一時的に待機させる待機手段である整合バッファー板５０を整合縦パス３５に近接して設けている。
【００５２】
ここで、この整合バッファー板５０は、図３及び図５に示すように、シートＰの受け部となる受け台５０ａと、シートＰの幅方向への整合を行う整合面５０ｂと、受け台５０ａから上方に延在し、受け台５０ａにより受けられた後続シートＰと整合縦パス３５に収納されたシート束Ｐ１とを分離する分離壁５０ｃとを備えると共に、シート幅方向へ移動可能となっている。
【００５３】
なお、図５において、Ｍはモータ、５２は整合バッファー板５０に設けられたラック５２であり、モータＭの回転をアイドラギヤ５７、ギア５８を介してラック５２に伝えることにより、整合バッファー板５０はシート幅方向へ移動するようになっている。
【００５４】
また図５において、５９はフォトセンサであり、不図示の制御部は、このフォトセンサ５９によってラック５２の一端に設けられた突起部５９ａを検知することにより、整合バッファー板５０の幅方向の位置と移動量を制御するようにしている。なお、この整合バッファー板５０は、シートＰを一時的に退避させるとき以外は、図６の（ｂ）に示すようにシートＰよりも外側に退避しているので、整合縦パス内へのシートの搬送の妨げになることはない。
【００５５】
次に、このような構成の整合バッファー板５０の動作について説明する。
【００５６】
通常の整合時は、整合バッファー板５０はシートＰの搬送を妨げないように、図６の（ｂ）に示すように、受け台５０ａがシート幅方向で完全に退避する位置まで移動している。そして、整合縦パス３５へシートＰが排出され、シート後端が後端ストッパ２０に当接するタイミングで整合バッファー板５０をシートＰの幅方向へ移動して整合し、整合後、整合バッファー板５０を再び、退避位置へ戻す。この動作をシート毎に行う。
【００５７】
一方、バッファー時は、即ち図３、図５の（ｂ）に示すように、整合縦パス３５に、積載・整合されたシート束Ｐ１があり、整合縦パス３５よりまだ排出されていない状態のときには、まず複写機本体Ａ１より続けて搬送されてくるシートＰをバッファーするため、受け台５０ａによりシートＰを受けることができ、且つ、整合面５０ｂがシートＰより退避した位置へ移動する。
【００５８】
次に、シートＰの後端が受け台５０ａに当接するタイミングで整合バッファー板５０をシートＰの幅方向へ移動して整合し、整合後、整合バッファー板５０を受け台５０ａでシートＰを受けられ、且つ、整合面５０ｂがシートＰより退避した位置へ戻す。この動作をシート毎に行う。
【００５９】
なお、このように整合バッファー板５０が移動しても分離壁５０ｃは、後続シートＰと整合縦パス３５に収納されたシート束Ｐ１とを分離することができる位置にあるので、これらのシートが混ざるようになることはない。
【００６０】
次に、整合縦パス３５よりシート束Ｐ１が排出されると、圧接ソレノイド５３を作動させて戻しローラ１９をシートＰに圧接させ、戻しローラ１９とコロ１９ｂでバッファーされたシートＰを挟持する。
【００６１】
次に、整合バッファー板５０を、図６の（ｂ）に示すようにシートＰから退避した位置へ移動する。そして、このように整合バッファー板５０を移動した後、戻しローラ１９を駆動すると、バッファーされたシートＰの後端が、後端ストッパ２０により支持される。なお、この後、戻しローラ１９を停止し、圧接ソレノイド５３の作動を止め、戻しローラ１９をシートＰより離間させる。そして、目標とされる製本部数が終了するまで上記動作が繰り返される。
【００６２】
このように、整合縦パス３５に所定枚数のシートを収納した後、後続シートを順次収納して待機させる整合バッファー板５０を整合縦パス３５に近接して設け、整合縦パス３５に収納された所定枚数のシートを搬送した後、整合バッファー板５０に待機しているシートを整合縦パス３５に収納することにより、ステイプル等のシート処理中でも複写機本体Ａ１より連続して排出されるシートＰを受け取ることが出来、生産性の低下を防ぐことができる。
【００６３】
ここで、本実施の形態において、この整合バッファー板５０は、整合縦パス３５に設けられた整合板２１と一体に設けられている。そして、このように整合バッファー板５０と整合板２１とを一体に設けることにより、構成が簡単になり、コストを抑えることができる。
【００６４】
次に、表紙の搬送について説明する。
【００６５】
複写機本体Ａ１から排出された表紙となる表紙用シートＰ２は、第１フラッパ１２、第２フラッパ１３の働きによって表紙パス１６に給送される。ここで、図２及び図５の（ａ）に示すように表紙パス１６にはレジローラ対２３が配置され、さらにレジローラ対２３の上流にはレジ先端センサ２３ａが配置されている。
【００６６】
なお、このレジローラ対２３は表紙パス１６に表紙用シートＰ２が案内された時点では停止しており、表紙用シートＰ２の先端がレジローラ対２３に当接して一定時間が経過した後、回転し始めるようになっている。そして、このように制御することで表紙パス１６へ案内された表紙用シートＰ２の先端にループを作り、表紙用シートＰ２の斜行補正した後、表紙用シートＰ２を糊付ユニット２５の所定位置まで移動することが出来る。なお、表紙用シートＰ２の先端がレジローラ対２３に当接したか否かは、表紙用シートＰ２がレジ先端センサ２３ａを通過してから所定時間、或いはモータ回転数を検出することによって判別することが可能である。
【００６７】
ところで、移動手段の一例としてのレジローラ対２３は、図７に示すように表紙モータ３７を介してラック３８により、幅方向に移動するように構成されている。そして、表紙用シートＰ２の後端が搬送ローラ対１７ａ（図５参照）を抜けた後、レジローラ対２３は表紙用シートＰ２を圧接、搬送した状態でｂ方向に移動する。
【００６８】
さらに、このような移動によって表紙用シートＰ２がレジセンサ２４を遮光するとｃ方向に移動し、レジセンサ２４の遮光が解除されると一定量移動して停止する。なお、このレジローラ対２３の移動量は、複写機本体Ａ１より受け取った紙サイズ信号に応じたものである。
【００６９】
ここで、レジセンサ２４は整合縦パス３５内のシート束Ｐ１の紙端位置（側端位置）に配置されているため、表紙パス１６内にある表紙用シートＰ２と整合縦パス３５内にあるシート束Ｐ１はシート搬送方向に対し垂直方向（交差する方向、シートの幅方向）に一定量ずれた位置、即ち後述する図１６に示すように、表紙用シートＰ２の一端よりもシート束Ｐ１の所定の一端が整合板Ｒ３１６側にはみ出した位置に位置することになる。これにより、後述するようにシート束Ｐ１の一端面に表紙用シートＰ２が糊付けされると（貼り付けられると）、シート束Ｐ１の所定の一端が表紙用シートＰ２の一端からはみ出すように貼り付けられることになる。
【００７０】
ところで、このように表紙用シートＰ２を移動させた後、整合縦パス３５の下部に位置したグリッパ４１（図２参照）によりシート束Ｐ１を表紙用シートＰ２へ案内して表紙用シートＰ２の中央部にシート束Ｐ１の後端を重ね合わせ、この後、糊付ユニット２５で糊付製本動作を行うようにしている。
【００７１】
ここで、この糊付ユニット２５は図２及び図８に示すように桶２５ａ、糊ローラ２５ｂ、糊２５ｃ、桶ヒータ２５ｄ、軸２５ｅ、桶駆動部２５ｆより構成される。
【００７２】
なお、桶２５ａは軸２５ｅに沿って幅方向にシート幅以上に移動可能となっており、シート幅の外側に退避位置を２ヶ所有し、この２ヶ所の退避位置の間を桶駆動部２５ｆによって移動するようになっている。
【００７３】
また、一方の退避位置から他方の退避位置への移動に伴い、桶２５ａの一部が後端ストッパ２０に係合されたリンク２６の一部を押し、これにより後端ストッパ２０が図３のシート束Ｐ１の下端（後端）より退避する方向へ移動する。また、糊ローラ２５ｂは桶２５ａに取付けられており、桶２５ａの移動と同期して回転するように構成されている。
【００７４】
桶ヒータ２５ｄは桶２５ａの外側に取り付いており、製本モード開始時、桶ヒータ２５ｄで桶２５ａを熱し、桶２５ａ内の糊２５ｃを溶かすようにしている。そして、桶２５ａが桶駆動部２５ｆで移動することで糊ローラ２５ｂが回転するため、糊ローラ２５ｂの外周面全体に溶けた糊２５ｃが行き渡る。
【００７５】
そして、整合縦パス３５内に積載されたシート束Ｐ１をグリッパ４１で保持し、桶２５ａが一方の退避位置から他方の退避位置へ移動することで、後端ストッパ２０がシート束Ｐ１下部より退避し、糊付ユニット２５でシート束Ｐ１の下端面に糊２５ｃが塗布される。
【００７６】
次に、製本工程について図９を用いて説明する。
【００７７】
図９において、２７はシャッターパスであり、このシャッターパス２７は、製本工程が開始される前は、図９の（ａ）に示すように表紙パス１６の下流に位置し、表紙用シートＰ２を搬送する時にはシャッター２７Ａにより閉じられた状態となっている。
【００７８】
一方、製本工程が開始されると（ｂ）に示すように、シャッターモータ２８でシャッターラック２９を駆動し、シャッター２７Ａとシャッターラック２９を係合するバネ３０でシャッター２７Ａを、シャッターパス２７を開放する位置まで移動させることにより、シャッターパス２７は開放される。なお、シャッターパス２７を開放した後、シャッター２７Ａは不図示のストッパに当接し、停止する。
【００７９】
この後、既述したように糊付されたシート束Ｐ１を折り目付け台３４上で表紙用シートＰ２に圧接するようグリッパ４１を移動し、シート束Ｐ１を表紙用シートＰ２に圧接させる。
【００８０】
次に、シャッターモータ２８を駆動し、（ｃ）に示すようにシャッターモータ２８によりベルト３１を介してカム３２を回転させることにより、案内軸３３によって折り目付け台３４をスライドさせる。そして、この折り目付け台３４により一定時間折り目付けを行い、糊付けシート束Ｐ３が完成する。なお、この折り目付け台３４には紙厚の変化に対応できるよう逃げ機構が設けられている。
【００８１】
さらに（ｄ）に示すように、カム３２を回転させることで折り目付け台３４が退避し、この後、糊付けシート束Ｐ３は押し出しコロ３９により下流へ押し出されて束曲率パス４０（図２参照）へと搬送され、この束曲率パス４０を経て回転ステージ３０１（図１３、図１４参照）に搬送される。
【００８２】
ここで、この回転ステージ３０１は、糊付けシート束Ｐ３を回転させ、トリマーユニットＤ内に搬送するものである。次に、トリマーユニットＤ及び回転ステージ３０１について説明する。
【００８３】
まず、トリマーユニットＤの構成を説明する。ここで、トリマーユニットＤはより品位の高いシート束に仕上げることを目的とし、糊付ユニット２５により、糊付製本を行ったシート束の糊付けされた端面を除く３面の裁断を行うものである。
【００８４】
図１０は、このようなトリマーユニットＤの側面図であり、同図において、８１は糊付けシート束Ｐ３を裁断するための裁断刃である。ここで、この裁断刃８１の形状は板状で片方のみに傾斜を持ち、長手方向は裁断する最大のシートサイズより長く、更に長手方向に移動を行うため、常に糊付けシート束Ｐ３上に裁断刃８１が乗る長さが必要である。例えば、Ａ４の長手方向を裁断するときが最大シートサイズとすると、２９７ｍｍ＋裁断刃８１の移動距離分以上の長さが必要となる。
【００８５】
この裁断刃８１がシートを裁断する動きは、例えばのこぎりで木を切るときのように裁断面に対して平行に往復しながら裁断を行う。また、この裁断刃８１は糊付けシート束Ｐ３の裁断面に対して平行にのみ摺動可能な平行移動部材８２に固定されている。
【００８６】
なお、この平行移動部材８２はコロ８３ａ，８３ｂにより支持されており、平行移動部材８２に設けられた突き当て８４ａ，８４ｂがコロ８３ａ，８３ｂに沿って裁断面に対して平行に移動する。また、この平行移動部材８２の平行移動は水平モータ８５の駆動を回転カム８６を介して回転受け８７に伝達させることにより行う。なお、往復平行運動の速度変化は水平モータ８５にエンコーダを備えることで自在に変化させることができる。
【００８７】
８８は裁断刃８１を糊付けシート束Ｐ３の厚み方向に移動させるための垂直移動部材であり、この垂直移動部材８８は、基台８８Ａと結合している支柱８９ａ，８９ｂを備え、その支柱８９ａ，８９ｂの溝に沿って垂直方向に移動するようになっている。なお、この垂直移動部材８８は平行移動部材８２を支持しているコロ８３ａ，８３ｂを備えているため、垂直移動部材８８を垂直方向に移動させると、平行移動部材８２を介して裁断刃８１も垂直方向に移動する。また、裁断刃８１に荷重を付加するために垂直移動部材８８に引っ張りバネ９０ａ、９０ｂを備えている。
【００８８】
そして、これらの機構により裁断刃８１の往復運動が可能となる。なお、９１は、裁断刃８１の破損を防ぐ目的で糊付けシート束Ｐ３の下方に設けられたマットであり、このマット９１の材質は柔らかい材質が好ましくゴム、モールド、ウレタン等が用いられる。
【００８９】
また、このマット９１の形状はローラ状にしており、これにより裁断後の切り屑を回転により落すことができ、さらにこの落とされた切り屑は移動可能なプッシャー９２によりダストＢＯＸ９３（図２参照）に回転させて落とすことができる。
【００９０】
更に、多数回、マット９１と裁断刃８１とが接触すると、マット９１に溝が形成され、シート束の最下シート（マット８１と直接接触しているシート）の裁断面がぼろぼろになったり、切れなくなったりする不具合が発生するが、マット９１の形状をローラ状とすることにより、マット９１に溝が形成される前に、今まで使用していた箇所をずらして、新しい溝が形成されていないマット９１領域に移動するようにすれば、マット９１の耐久性を伸ばすことができる。
【００９１】
また、図１１は、糊付けシート束Ｐ３を裁断する際、糊付けシート束Ｐ３を押えるシート束の押え手段の構成を示すものであり、この押え手段は、（ａ）に示すようにカム９４が回転することによりリンク９５が作動して紙押えバネ９６を圧縮し、シート押え９８で糊付けシート束Ｐ３を押えるようになっている。なお、この機構はシート押え９８を解除するとき、（ｂ）に示すように垂直移動部材８８の突き当て８８ａに当たり、垂直移動部材８８を介して裁断刃８１を糊付けシート束Ｐ３の厚み方向に移動させる手段も兼ねている。
【００９２】
次に、このように構成されたトリマーユニットＤの動作方法を説明する。
【００９３】
既述したように糊付けシート束Ｐ３は回転ステージ３０１によって、裁断位置まで搬送される。このとき、糊付けシート束Ｐ３の裁断幅は約２〜２０ｍｍである。糊付けシート束Ｐ３の搬送後、シート押え９８により糊付けシート束Ｐ３を押さえ込む。このときシート押え９８と共に垂直移動部材８８を介して裁断刃８１も移動するため、裁断刃８１は糊付けシート束Ｐ３上に接触する。
【００９４】
次に、このような糊付けシート束Ｐ３の押え終了後、水平モータ８５により垂直移動部材８８を介して裁断刃８１を水平方向に往復移動をする。これにより、糊付けシート束Ｐ３が裁断され、裁断刃８１は引っ張りバネ９０ａ，９０ｂによって引っ張られ、裁断刃８１は糊付けシート束Ｐ３の厚み方向に移動する。往復運動による裁断は刃位置センサ９７を検知するまで行われる。
【００９５】
次に、糊付けシート束Ｐ３の裁断終了後、シート押え９８を解除し、同時に裁断刃８１をマット９１から退避させる。切り屑Ｐ４はダストＢＯＸ９３内に落ちている切り屑もあるが完全に落ちておらず、マット９１上に残っている切り屑もある。それを強制的ダストＢＯＸ９３に落とすためにマット９１を回転させ、この後、プッシャー９２により切り屑を押し込むことによりダストＢＯＸ９３内へ落とし込む。そして、このようにマット９１を回転させた後、糊付けシート束Ｐ３は回転ステージ３０１によって積載トレイＥへ排出される。
【００９６】
なお、図１２は本シート処理装置Ｂの制御ブロック図であり、同図において、２００はトリマーユニットＤの裁断動作等を制御する制御手段としてのＣＰＵであり、このＣＰＵ２００は、シートサイズ信号９、排出センサ２２、レジ先端センサ２３ａ、レジセンサ２４、フォトセンサ５９、刃位置センサ９７、センサ３０６、センサ３０８、センサ３１２、センサ３１９等からの信号が入力されるようになっている。
【００９７】
そして、これらの信号に基づいて、各ドライバＤ１〜Ｄ１４を介して、既述したシャッターモータ２８、表紙モータ３７、圧接ソレノイド５３、水平モータ８５や、本実施の形態では説明を省略した平行モータ９９、第１フラッパソレノイド２０１、第２フラッパソレノイド２０２、ノンソートパス搬送モータ２０３、製本パス搬送モータ２０４、表紙パス搬送モータ２０５、整合縦パス板移動モータ２０７、昇降モータ３０３、搬送ベルトモータＦ３２２、搬送ベルトモータＲ３２３等を、それぞれ制御入力パルス、あるいは回転量を検出するエンコーダコーダ入力によって移動量、速度等を制御している。
【００９８】
次に、回転ステージ３０１について図１３〜図１５を用いて説明する。
【００９９】
図１３、図１４において、３０２は回転ステージ３０１に設けられた束搬送ユニットであり、この束搬送ユニット３０２は昇降モータ３０３で駆動される昇降ギア３０４に固定しているワイヤ３０５を巻き取る事によって回転軸３２５を中心に回動するようになっている。なお、通常、この束搬送ユニット３０２は、突起部３０２ａをセンサ３０６が検知した所で昇降モータ３０３を停止させ、図１３に示す位置で待機している。
【０１００】
一方、製本工程で製本され、束湾曲パス４０に搬送された糊付けシート束Ｐ３が、この後、束搬送ローラ対３０７で搬送され、この糊付けシート束Ｐ３の先端をセンサ３０８が検知すると、この検知のタイミングで第１〜第４搬送ベルト３０９，３１０，３２０，３２１は、搬送ベルトモータＦ３２２及び搬送ベルトモータＲ３２３で駆動され、図１３で示す矢印方向に回転する。
【０１０１】
そして、束搬送ローラ対３０７により束搬送ユニット３０２の搬送パス３１１内に搬送された糊付けシート束Ｐ３の後端が、センサ３０８を抜けたタイミングで昇降モータ３０３が逆転し、これにより束搬送ユニット３０２は、図１５の（ａ）の位置まで移動する。
【０１０２】
この後、束搬送ユニット３０２の突起部３０２ａをセンサ３１２が検知した所で昇降モータ３０３及び搬送ベルトモータＦ３２２、搬送ベルトモータＲ３２３の駆動を停止させる。これにより、糊付けシート束Ｐ３は搬送ベルト３１０，３２１とウエイト３１３の先端の従動コロ３１４とで挟まれた状態で待機する事となる。
【０１０３】
ところで、この後、図１６に示すように図示しないモータにより矢印方向に駆動される整合板Ｆ３１５により、糊付けシート束Ｐ３は整合板Ｒ３１６側に位置決めされるが、この時、糊付けシート束Ｐ３は、既述したように表紙用シートＰ２がずらされて糊付けされているため、整合板Ｒ３１６に当接するのは糊付けシート束Ｐ３のうちのシート束Ｐ１である。
【０１０４】
ここで、シート束Ｐ１は剛性に優れていることから、このように整合板Ｒ３１６にシート束Ｐ１を突き当てることにより糊付けシート束Ｐ３の位置決め整合する際、糊付けシート束Ｐ３を精度良く整合板Ｒ３１６側に位置決めすることができる。
【０１０５】
又、これと同時に図１５の（ａ）、図１７に示すように図示しないモータによってタイミングベルト３１７を駆動することでタイミングベルト３１７に固定された突き当て板３１８が、センサ３１９の位置から指定された位置まで移動し、糊付けシート束Ｐ３をトリマーユニットＤ内に搬送する。ここで、この時、糊付けシート束Ｐ３は整合板Ｆ３１５，Ｒ３１６と突き当て板３１８とにより３辺を規制されながら搬送する事となり、トリマー部までの搬送精度を向上させる事が可能となる。
【０１０６】
次に、トリマーユニットＤにより裁断が開始される。ここで、このように裁断が開始されると、整合板Ｆ３１５，Ｒ３１６と突き当て板３１８はホームポジションまで移動し待機する。また、裁断が終了すると第１〜第４搬送ベルト３０９，３１０，３２０，３２１が反時計回り方向に回転する事でウエイトコロ３１４により挟まれた糊付けシート束Ｐ３は、糊付けシート束Ｐ３の中心近傍にウエイトコロ３１４が位置する所まで搬送され、その位置で搬送ベルト３０９，３１０，３２０，３２１は停止する。
【０１０７】
この後、搬送ベルト３０９，３１０と搬送ベルト３２０，３２１が図１４に示す矢印方向の様に互いに反対方向に回転する事によって、ウエイトコロ３１４を中心に糊付けシート束Ｐ３を２７０度回転させる。なお、糊付けシート束Ｐ３を２７０度回転させたならば、搬送ベルト３０９，３１０，３２０，３２１を停止し、再度、整合板Ｆ３１５，Ｒ３１６及び突き当て板３１８で糊付けシート束Ｐ３を整合し、トリマーユニットＤ内の所定の位置まで搬送し、裁断を行う。
【０１０８】
そして、このように糊付けシート束Ｐ３が２７０度回転すると、この時、図１８に示すように整合板Ｒ３１６には既にトリマーユニットＤによって裁断された面が整合板Ｒ３１６に突き当たるようになる。ここで、この裁断面は、剛性に優れているため、糊付けシート束Ｐ３を精度良く整合板Ｒ３１６側に位置決めする事ができる。さらに、突き当て板３１８には、剛性に優れた糊付けシート束Ｐ３内のシート束Ｐ１の端部が当接して搬送されるため、トリマー部までの搬送精度を向上させる事が可能となる。
【０１０９】
またこの後、同じ動作で糊付けシート束Ｐ３をウエイトコロ３１４部まで搬送した後１８０度回転させ、今度は図１９に示すように突き当て板３１８に、今回裁断された糊付けシート束Ｐ３の面に突き当て板３１８を当接させて再度トリマーユニットＤ内に搬送し、表紙用シートＰ２よりはみ出た糊付けシート束Ｐ３内のシート束Ｐ１の端部の裁断を行う。
【０１１０】
そして、このように糊付け面を除く３面の裁断が終了した糊付けシート束Ｐ３をウエイトコロ３１４部まで搬送し、９０度回転させた後、搬送ベルト３０９、３１０、３２０、３２１を図１５の（ｂ）の矢印方向に回転させる事でシート束Ｐ６を積載トレイＥに搬送する。
【０１１１】
それと同時に、突き当て板３１８を矢印方向に１回転させる事で、搬送している糊付けシート束Ｐ３の後端部を押し出す様に動作し、糊付けシート束Ｐ３が確実に積載トレイＥに排出できる様に構成している。
【０１１２】
以上説明したように、シート束Ｐ１の一端面に表紙用シートＰ２を糊付けして（貼り付けて）製本する際、表紙用シートＰ２を、表紙用シートＰ２の一端からシート束Ｐ１の所定の一端がはみ出すように貼り付けることにより、糊付けシート束Ｐ３のうちの剛性の大きなシート束Ｐ１を基準にして糊付けシート束Ｐ３の位置を整合することができ、糊付けシート束Ｐ３を裁断処理する際の位置精度を向上させることができる。
【０１１３】
また、本実施の形態のように構成することにより、糊付けシート束Ｐ３の側端を裁断する際、突き当て板３１８が、剛性の優れたシート束Ｐ１と表紙用シートＰ２との貼り付け面、或は裁断面に当接するため座屈せず、仮に糊付けシート束Ｐ３表表紙と裏表紙の位置がずれたり、シート束Ｐ１と表紙用シートＰ２の平行度が出ていない事があっても、裁断時の位置精度を向上させることが可能となる。
【０１１４】
なお、これまでの説明においては、表紙用シートＰ２を貼り付けて製本する際、表紙用シートＰ２をシート束の一端面が表紙用シートの一端からはみ出すように貼り付ける場合について述べてきたが、本発明は、これに限らず表紙用シートの一端がシート束の所定の一端と一致するように糊付けしても良い。
【０１１５】
ところで、これまでの説明においては、レジローラ対２３を幅方向に移動させることにより、シート束Ｐ１と表紙用シートＰ２とをずらした状態で糊付けするようにした場合について述べてきたが、本発明は、これに限らず、表紙用シートＰ２をずらすための機構を別途設けるようにしても良い。
【０１１６】
次に、このような表紙用シートＰ２をずらすための機構を別途設けた本発明の第２の実施の形態について説明する。
【０１１７】
図２０は、本実施の形態に係るシート処理装置の概略構成を説明する図である。なお、同図において、図２と同一符号は、同一又は相当部分を示している。
【０１１８】
同図において、４０４は突き当て板であり、複写機本体Ａ１から排出されたシートＰは第１フラッパ１２、第２フラッパ１３の働きによって表紙パス１６に給送された後、表紙パス１６に配置された搬送ローラ４０１及び従動コロ４０２により突き当て板４０４に向けて搬送されるようになっている。
【０１１９】
ここで、この突き当て板４０４は、モータ４０３及びラック４１０によりシート搬送方向に往復移動可能となっており、またこの突き当て板４０４は、フォトセンサ４１２と、ラック４１０の一端部に形成され、フォトセンサ４１２を遮光する突起部４１１とにより、その位置と移動量とが制御されるようになっている。なお、本実施の形態において、この突き当て板４０４は、シートＰが搬送されるまでは、複写機本体Ａ１からのシートサイズ信号に応じた所定の位置で待機している。
【０１２０】
４０５は、搬送ローラ４０１と突き当て板４０４との間に設けられ、表紙用シートＰ２をシート搬送方向と直交する方向に移動させる移動手段の一例としての整合板であり、この整合板４０５は、シート搬送方向と直交する幅方向へ移動可能となっている。
【０１２１】
ここで、この整合板４０５は、図２１に示すようにモータ４２０の駆動をアイドラギヤ４０６、ギア４０７を介してラック４０８に駆動を伝えることにより、矢印に示す幅方向へ移動可能となっている。
【０１２２】
また、この整合板４０５は、フォトセンサ４０９と、ラック４０８の一端部に形成され、フォトセンサ４０９を遮光する突起部４０８ａとにより、その位置と移動量とが制御されるようになっている。なお、この整合板４０５は、表紙用シートＰ２が搬送されているときには、搬送される表紙用シートＰ２よりも外側に退避しているので、表紙用シートＰ２の搬送の妨げになることはない。
【０１２３】
そして、このような構成の突き当て板４０４及び整合板４０５を備えたシート処理装置において、搬送手段の一例である搬送ローラ４０１によって搬送された表紙用シートＰ２は、まず複写機本体Ａ１よりシートサイズ信号を受け取って所定の位置で待機している突き当て板４０４に先端が当接するまで搬送される。
【０１２４】
なお、本実施の形態においては、このように突き当て板４０４に当接した後も、所定時間搬送動作が行われる。このため、搬送ローラ４０１はスリップ状態となるが、このように搬送ローラ４０１がスリップ状態となることにより、表紙用シートＰ２を突き当て板４０４に確実に当接させることができる。
【０１２５】
次に、このように表紙用シートＰ２を突き当て板４０４に当接させた後、突き当て板４０４を搬送ローラ４０１の搬送力に抗しながら搬送方向と逆方向に移動させ、表紙用シートＰ２を、所定の位置まで搬送する。更に、この後、整合板４０５を幅方向に移動させ、表紙用シートＰ２を所定の糊付け位置まで移動させる。なお、このように表紙用シートＰ２を所定の糊付け位置まで移動させると、搬送ローラ４０１の駆動を停止させる。
【０１２６】
この時、整合板４０５によって移動された表紙用シートＰ２と整合縦パス３５内の糊付けシート束Ｐ１の紙端の位置関係は、表紙用シートＰ２の紙端よりも糊付けシート束Ｐ１の紙端の方がシート処理装置奥側に飛び出した（はみ出した）関係になる。
【０１２７】
そして、このように表紙用シートＰ２の紙端よりも糊付けシート束Ｐ１の紙端の方が装置奥側に飛び出した関係となることにより、糊付けシート束Ｐ３のうちの剛性の大きなシート束Ｐ１を基準にして糊付けシート束Ｐ３の位置を整合することができ、糊付けシート束Ｐ３を裁断処理する際の位置精度を向上させることができる。
【０１２８】
ところで、これまでの説明において、画像形成部３の画像形成動作を複写機本体Ａ１に設けられた制御部Ａ２により、またトリマーユニットＤの裁断動作をシート処理装置Ｂに設けられたＣＰＵ２００により、それぞれ制御するようにした場合について述べてきたが、本発明はこれに限らず、例えばトリマーユニットＤの裁断動作制御を制御部Ａ２により行うようにしてもよい。また、逆に、画像形成部３の画像形成動作制御をシート処理装置Ｂに設けられたＣＰＵ２００により行うようにしても良い。
【０１２９】
即ち、これまでの説明では、画像形成部３の画像形成動作及びトリマーユニットＤの裁断動作を制御する制御手段を、複写機本体Ａ１に設けられた制御部Ａ２とシート処理装置Ｂに設けられたＣＰＵ２００とにより構成した場合について述べてきたが、画像形成部３の画像形成動作及びトリマーユニットＤの裁断動作を制御部Ａ２又はＣＰＵ２００により行うようにしても良い。つまり、画像形成部３の画像形成動作及びトリマーユニットＤの裁断動作を制御する制御手段を、複写機本体Ａ１又はシート処理装置Ｂに設けるようにしても良い。
【図面の簡単な説明】
【０１３０】
【図１】本発明の実施の形態に係る画像形成装置の一例である複写機の概略構成を説明する図。
【図２】上記シート処理装置の概略構成を説明する図。
【図３】上記シート処理装置に設けられた整合縦パスの構成を説明する図。
【図４】上記整合縦パスに設けられた整合縦パス板の作用を説明する図。
【図５】上記整合縦パスに設けられたバッファー板によるシート待機動作を説明する図。
【図６】上記整合縦パスに設けられたバッファー板によるシート待機動作を説明する他の図。
【図７】上記シート処理装置に設けられた表紙パスにおける表紙シートに対する斜行取り、およびレジ合わせを説明する図。
【図８】上記シート処理装置に設けられた糊付ユニットの構成を説明する図。
【図９】上記シート処理装置に設けられ、シート束に表紙用シートを糊付けする機構を説明する図。
【図１０】上記シート処理装置に設けられたトリマーユニットの側面図。
【図１１】上記トリマーユニットに設けられたシート束押えの機構を説明する図。
【図１２】上記シート処理装置の制御ブロック図。
【図１３】上記シート処理装置に設けられた回転ステージの構成を説明する側面図。
【図１４】上記回転ステージの構成を説明する平面図。
【図１５】上記回転ステージのシート束搬送動作を説明する図。
【図１６】上記糊付ユニットにより糊付けされたシート束を整合する状態を示す図。
【図１７】上記糊付シート束をトリマーユニットへ搬送する状態を示す図。
【図１８】上記糊付シート束の始めの１端面の裁断動作を終え、回転ステージによってシート束を９０°回転させた状態を示す図。
【図１９】上記糊付シート束の２端面の裁断動作を終え、回転ステージによってシート束を１８０°回転させた状態を示す図。
【図２０】本発明の第２の実施の形態に係るシート処理装置の概略構成を説明する図。
【図２１】上記シート処理装置に設けられた整合板を駆動する機構を説明する図。
【図２２】従来のシート処理装置における糊付シート束をトリマーユニットへ搬送する状態を示す図。
【符号の説明】
【０１３１】
３        画像形成部
２３      レジローラ対
２５      糊付ユニット
２００    ＣＰＵ
３０１    回転ステージ
３１５    整合板Ｆ
３１６    整合板Ｒ
３１８    突き当て板
４０１    搬送ローラ
４０４    突き当て板
４０５    整合板
４０９    フォトセンサ
４１２    フォトセンサ
Ａ        複写機、
Ｂ        シート処理装置
Ｄ        トリマーユニット
Ｐ        シート
Ｐ１      シート束
Ｐ２      表紙用シート
Ｐ３      糊付けシート束
【図１】
2005254623.tif 000003
【図２】
2005254623.tif 000004
【図３】
2005254623.tif 000005
【図４】
2005254623.tif 000006
【図５】
2005254623.tif 000007
【図６】
2005254623.tif 000008
【図７】
2005254623.tif 000009
【図８】
2005254623.tif 000010
【図９】
2005254623.tif 000011
【図１０】
2005254623.tif 000012
【図１１】
2005254623.tif 000013
【図１２】
2005254623.tif 000014
【図１３】
2005254623.tif 000015
【図１４】
2005254623.tif 000016
【図１５】
2005254623.tif 000017
【図１６】
2005254623.tif 000018
【図１７】
2005254623.tif 000019
【図１８】
2005254623.tif 000020
【図１９】
2005254623.tif 000021
【図２０】
2005254623.tif 000022
【図２１】
2005254623.tif 000023
【図２２】
2005254623.tif 000024